(57)【要約】      （修正有）【課題】汎用性が高く、多機能な、型抜きシートから各部材を切り抜いて組み立てる支持台を提供する。【解決手段】支持台１は第１壁部１０と、第１壁部１０と交差する第２壁部２０と、第１壁部１０及び第２壁部２０と交差する第３壁部３０と、第１壁部１０と第２壁部２０と第３壁部３０とに囲まれる筒状の空間の下方を塞いで第１壁部１０と第２壁部２０と第３壁部３０とのうちの少なくとも１つと交差する底板部４０と、を備え、第１壁部１０と第２壁部２０とは、それぞれ、下方から前方へ向けて延びる延長部１６、２６を有し、延長部１６、２６には板状の物品を支持する支持部１６ａ、２６ａが設けられている。【選択図】図１
0003234429.tif 000002
【実用新案登録請求の範囲】
【請求項１】
第１壁部と、
前記第１壁部と交差する第２壁部と、
前記第１壁部及び前記第２壁部と交差する第３壁部と、
前記第１壁部と前記第２壁部と前記第３壁部とに囲まれる筒状の空間の下方を塞いで前記第１壁部と前記第２壁部と前記第３壁部とのうちの少なくとも１つと交差する底板部と、
を備え、
前記第１壁部と前記第２壁部とは、それぞれ、下方から前方へ向けて延びる延長部を有し、前記延長部には板状の物品を支持する支持部が設けられている、支持台。
【請求項２】
請求項１に記載の支持台において、
前記第１壁部と、前記第２壁部と、前記第３壁部と、前記底板部とは、いずれも同一材料により形成された板状の部材であること、
を特徴とする支持台。
【請求項３】
請求項１又は請求項２に記載の支持台において、
前記第１壁部と、前記第２壁部と、前記第３壁部と、前記底板部とは、それぞれが組み合わせられる部位は、少なくとも一方にスリットが設けられており、前記スリットに他方が差し込まれて組み合わせられていること、
を特徴とする支持台。
【請求項４】
請求項１から請求項３までのいずれかに記載の支持台において、
前記延長部には、前記支持部が複数設けられていること、
を特徴とする支持台。
【請求項５】
請求項１から請求項４までのいずれかに記載の支持台において、
前記支持部によって前記物品が支持される場合に前記物品の表面が当該支持台の置かれる平面となす角度は、６０°以上、８０°以下であること、
を特徴とする支持台。
【請求項６】
請求項１から請求項５までのいずれかに記載の支持台を構成する前記第１壁部と、前記第２壁部と、前記第３壁部と、前記底板部とが一部繋がった状態で配置されている型抜きシート。
【考案の詳細な説明】
【技術分野】
【０００１】
本考案は、支持台、型抜きシートに関するものである。
【背景技術】
【０００２】
従来から、卓上カレンダーが用いられている。卓上カレンダーは、需要が高く、また、使用前の状態において小型に構成できる形態として、顧客等へ頒布されることも多い。
例えば、特許文献１には、使用前の状態において小型に構成された紙製の卓上カレンダー立が開示されている。
【先行技術文献】
【特許文献】
【０００３】
【特許文献１】特開２００５−１６１６６２号公報
【考案の概要】
【考案が解決しようとする課題】
【０００４】
しかし、特許文献１に開示されているように、従来の卓上カレンダー立が保持できるものは、当該卓上カレンダー立専用のカレンダーであり、カレンダーの使用後は廃棄することとなり、汎用性が低かった。
また、従来の卓上カレンダー立は、机の上等を常に占有するにも関わらず、カレンダーを保持するという単機能のものであったため、頒布されても使用されない場合もあった。
【０００５】
本考案の課題は、汎用性が高く、多機能な支持台、型抜きシートを提供することである。
【課題を解決するための手段】
【０００６】
本考案は、以下のような解決手段により、前記課題を解決する。なお、理解を容易にするために、本考案の実施形態に対応する符号を付して説明するが、これに限定されるものではない。
【０００７】
第１の考案は、第１壁部（１０）と、前記第１壁部（１０）と交差する第２壁部（２０）と、前記第１壁部（１０）及び前記第２壁部（２０）と交差する第３壁部（３０）と、前記第１壁部（１０）と前記第２壁部（２０）と前記第３壁部（３０）とに囲まれる筒状の空間（Ｓ）の下方を塞いで前記第１壁部（１０）と前記第２壁部（２０）と前記第３壁部（３０）とのうちの少なくとも１つと交差する底板部（４０）と、を備え、前記第１壁部（１０）と前記第２壁部（２０）とは、それぞれ、下方から前方へ向けて延びる延長部（１６、２６）を有し、前記延長部（１６、２６）には板状の物品を支持する支持部（１６ａ、１６ｂ、２６ａ、２６ｂ）が設けられている、支持台（１、１Ｂ）である。
【０００８】
第２の考案は、第１の考案に記載の支持台（１、１Ｂ）において、前記第１壁部（１０）と、前記第２壁部（２０）と、前記第３壁部（３０）と、前記底板部（４０）とは、いずれも同一材料により形成された板状の部材であること、を特徴とする支持台（１、１Ｂ）である。
【０００９】
第３の考案は、第１の考案又は第２の考案に記載の支持台（１、１Ｂ）において、前記第１壁部（１０）と、前記第２壁部（２０）と、前記第３壁部（３０）と、前記底板部（４０）とは、それぞれが組み合わせられる部位は、少なくとも一方にスリット（１１、１２、１３、２１、２４、２５、３２、３４）が設けられており、前記スリット（１１、１２、１３、２１、２４、２５、３２、３４）に他方が差し込まれて組み合わせられていること、を特徴とする支持台（１、１Ｂ）である。
【００１０】
第４の考案は、第１の考案から第３の考案までのいずれかに記載の支持台（１Ｂ）において、前記延長部（１６、２６）には、前記支持部（１６ａ、１６ｂ、２６ａ、２６ｂ）が複数設けられていること、を特徴とする支持台（１Ｂ）である。
【００１１】
第５の考案は、第１の考案から第４の考案までのいずれかに記載の支持台（１、１Ｂ）において、前記支持部（１６ａ、２６ａ）によって前記物品（Ｇ）が支持される場合に前記物品（Ｇ）の表面が当該支持台（１、１Ｂ）の置かれる平面となす角度は、６０°以上、８０°以下であること、を特徴とする支持台（１、１Ｂ）である。
【００１２】
第６の考案は、第１の考案から第５の考案までのいずれかに記載の支持台（１、１Ｂ）を構成する前記第１壁部（１０）と、前記第２壁部（２０）と、前記第３壁部（３０）と、前記底板部（４０）とが一部繋がった状態で配置されている型抜きシート（１００）である。
【考案の効果】
【００１３】
本考案によれば、汎用性が高く、多機能な支持台、型抜きシートを提供することができる。
【図面の簡単な説明】
【００１４】
【図１】本考案による支持台１の実施形態を前方から示す斜視図である。
【図２】本考案による支持台１の実施形態を後方から示す斜視図である。
【図３】支持台１の各部材を型抜きした型抜きシート１００を示す図である。
【図４】支持台１によって物品Ｇを支持した状態を示す図である。
【図５】支持部を複数設けた例を示す図である。
【考案を実施するための形態】
【００１５】
以下、本考案を実施するための最良の形態について図面等を参照して説明する。
【００１６】
（実施形態）
図１は、本考案による支持台１の実施形態を前方から示す斜視図である。
図２は、本考案による支持台１の実施形態を後方から示す斜視図である。
図３は、支持台１の各部材を型抜きした型抜きシート１００を示す図である。
なお、図１を含め、以下に示す各図は、模式的に示した図であり、各部の大きさ、形状は、理解を容易にするために、適宜誇張したり、省略したりして示している。
また、以下の説明では、具体的な数値、形状、材料等を示して説明を行うが、これらは、適宜変更することができる。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、板面とは、各板状の部材において、その板状の部材全体として見たときにおける、板状の部材の平面方向となる面を示すものであるとする。
【００１７】
本実施形態の支持台１は、カレンダーや、写真、スマートフォン、タブレット端末等、板状やシート状の物品を支持することができ、かつ、筆記具等を立てて保持することができるものである。
なお、図１及び図２中に矢印で示した前後、上下、左右の向きを用いて説明する。また、前後方向及び左右方向は、水平方向に沿っているものとする。
支持台１は、第１壁部１０と、第２壁部２０と、第３壁部３０と、底板部４０とを備えている。
【００１８】
第１壁部１０は、厚さ２ｍｍの板状の紙により略台形形状に形成されており、板面が右前方斜め４５°の向き、及び、鉛直方向に沿う向きで配置されている。本実施形態の第１壁部１０は、紙により形成されているが、樹脂板、木板、金属板等、他の材料によって形成されてもよい。
第１壁部１０は、スリット１１、１２、１３、延長部１６を有している。
スリット１１は、第１壁部１０の後方側において上端から中央付近まで上下方向に沿って延在しており、上端側が開放されている。
スリット１２は、第１壁部１０の前方側において上端から中央付近まで上下方向に沿って延在しており、上端側が開放されている。
スリット１３は、第１壁部１０の下方側の略中央において水平方向に沿って延在している。図３に示すように、スリット１３の両端には、切れ込みを入れて先端側が幅広に形成された凸部４３又は凸部４５を挿入可能としてもよい。
延長部１６は、第１壁部１０の下方側の前側から前方に延びて設けられている。延長部１６には、支持部１６ａが設けられている。支持部１６ａは、上方が開放された凹形状となっており、後述する支持部２６ａとともに、カレンダー等の物品を支持可能である。
【００１９】
第２壁部２０は、厚さ２ｍｍの板状の紙により略台形形状に形成されており、板面が左前方斜め４５°の向き、及び、鉛直方向に沿う向きで配置されている。第２壁部２０は、第１壁部１０と直角に交差して組み合わされる。なお、第１壁部１０と第２壁部２０が交差する角度は、９０°に限らず、適宜変更してもよい。本実施形態の第２壁部２０は、紙により形成されているが、樹脂板、木板、金属板等、他の材料によって形成されてもよい。第２壁部２０は、スリット２１、２４、２５、延長部２６を有している。
スリット２１は、第２壁部２０の後方側において下端から中央付近まで上下方向に沿って延在しており、下端側が開放されている。
スリット２４は、第２壁部２０の前方側において上端から中央付近まで上下方向に沿って延在しており、上端側が開放されている。
スリット２５は、第２壁部２０の下方側の略中央において水平方向に沿って延在している。図３に示すように、スリット２５の両端には、切れ込みを入れて先端側が幅広に形成された凸部４３又は凸部４５を挿入可能としてもよい。
延長部２６は、第２壁部２０の下方側の前側から前方に延びて設けられている。延長部２６には、支持部２６ａが設けられている。支持部２６ａは、上方が開放された凹形状となっており、上述した支持部１６ａとともに、カレンダー等の物品を支持可能である。
【００２０】
第３壁部３０は、厚さ２ｍｍの板状の紙により略長方形形状に形成されており、板面が左右方向、及び、鉛直方向に沿う向きで配置されている。第３壁部３０は、第１壁部１０及び第２壁部２０と交差して組み合わされる。本実施形態の第３壁部３０は、紙により形成されているが、樹脂板、木板、金属板等、他の材料によって形成されてもよい。第３壁部３０は、スリット３２、３４を有している。
スリット３２は、第３壁部３０の右側において下端から中央付近まで上下方向に沿って延在しており、下端側が開放されている。
スリット３４は、第３壁部３０の左側において下端から中央付近まで上下方向に沿って延在しており、下端側が開放されている。
【００２１】
底板部４０は、厚さ２ｍｍの板状の紙により略直角二等辺三角形形状に形成されており、板面が左右方向、及び、前後方向に沿う向き、すなわち、水平方向に沿う向きで配置されている。底板部４０は、第１壁部１０と第２壁部２０と第３壁部３０とに囲まれる筒状の空間Ｓの下方を塞いで第１壁部１０及び第２壁部２０と交差して組み合わせられる。本実施形態の底板部４０は、紙により形成されているが、樹脂板、木板、金属板等、他の材料によって形成されてもよい。底板部４０は、凸部４３、４５を有している。
凸部４３、４５は、それぞれ、第１壁部１０のスリット１３、第２壁部２０のスリット２５に差し込み可能な幅となっている。本実施形態では、凸部４３、４５は、一定の幅で突出しているが、先端側が幅広に形成された抜け止め形状としてもよい。その場合、上述したようにスリット１３及びスリット２５の両端に切れ込みを入れるとよい。これにより、凸部４３、４５を各スリットに差し込みやすくするとともに、支持台１の分解時に凸部４３、４５を各スリットから外しやすくすることができる。また、凸部４３、４５は同様の形状であるため、底板部４０の上下を返しても各スリットに差し込むことができる。この場合、例えば上下の面にそれぞれ異なる色を設けておけば、観察時の色を都度変更することができる。
【００２２】
上述した形状の第１壁部１０と、第２壁部２０と、第３壁部３０と、底板部４０とが以下のように組み合わせられて支持台１が構成されている。
第１壁部１０のスリット１１の底部１１ａから下端までの領域がスリット２１に挿入され、かつ、第２壁部２０のスリット２１の底部２１ａから上端までの領域がスリット１１に挿入され、さらに、底部１１ａと底部２１ａとが当接した位置で、第１壁部１０と第２壁部２０とが組み合わせられている。
【００２３】
第１壁部１０のスリット１２の底部１２ａから下方のスリット１３付近までの領域が第３壁部３０のスリット３２に挿入され、かつ、第３壁部３０のスリット３２の底部３２ａから上端までの領域がスリット１２に挿入され、さらに、底部１２ａと底部３２ａとが当接した位置で、第１壁部１０と第３壁部３０とが組み合わせられている。
これと同様に、第２壁部２０のスリット２４の底部２４ａから下方のスリット２５付近までの領域が第３壁部３０のスリット３４に挿入され、かつ、第３壁部３０のスリット３４の底部３４ａから上端までの領域がスリット２４に挿入され、さらに、底部２４ａと底部３４ａとが当接した位置で、第２壁部２０と第３壁部３０とが組み合わせられている。
【００２４】
底板部４０の凸部４３が第１壁部１０のスリット１３に挿入されて第１壁部１０と底板部４０とが組み合わせられている。
これと同様に、底板部４０の凸部４５が第２壁部２０のスリット２５に挿入されて第２壁部２０と底板部４０とが組み合わせられている。
なお、本実施形態では、第３壁部３０と底板部４０とは単に接触している、又は、若干の隙間を空けて配置されている構成であるが、第３壁部３０と底板部４０とを組み合わせる構成としてもよい。例えば、第３壁部３０に凸部を設けて、この凸部を底板部４０の対応する位置にさらに設けたスリットに挿入して、第３壁部３０と底板部４０とを組み合わせてもよい。また、第３壁部３０にスリットを設けて、このスリットに底板部４０の対応する位置にさらに設けた凸部を挿入して、第３壁部３０と底板部４０とを組み合わせてもよい。
【００２５】
上述した各スリットを用いた組み合わせ部分は、各部材の板厚とスリット幅とを適切に設定することにより、接着剤等を用いることなく、支持台１の組み立て状態を維持することができる。
【００２６】
図４は、支持台１によって物品Ｇを支持した状態を示す図である。
図４に示すように、延長部１６の支持部１６ａと延長部２６の支持部２６ａとを用いて、板状やシート状、又は、フィルム状の物品Ｇを支持することができる。
本実施形態において物品Ｇが支持される角度（支持部１６ａ、２６ａによって板状の物品Ｇが支持される場合に物品Ｇの表面が支持台１の置かれる平面となす角度）は、物品Ｇの大きさによって変わるが、７０°〜７５°程度となる。なお、この角度は、６０°以上、８０°以下であることが、物品Ｇを安定して保持するため望ましい。
また、第１壁部１０と第２壁部２０と第３壁部３０とに囲まれた三角柱形状の空間Ｓには、筆記具や造花等を立てておくことができ、支持台１が多機能となることから、支持台１が配置された机の上等の領域を有効に利用することができる。
【００２７】
また、図３に示すように、第１壁部１０と第２壁部２０と第３壁部３０と底板部４０とは、１枚の型抜きシート１００から切り抜くことで作製することができる。この場合、例えば、第１壁部１０と第２壁部２０と第３壁部３０と底板部４０との各部材の切り抜き形状を一部繋がった状態として構成すれば、型抜きシート１００の形態で頒布することが可能である。利用者は、型抜きシート１００から各部材を切り抜いて、利用者自身で組み立てることが可能である。また、各部材が組み合わせられる部位は、一方にスリットが設けられており、スリットに他方が差し込まれて組み合わせられる。よって、型抜きシート１００から各部材を取り外す作業と、支持台１への組み立ては、工具や接着剤等を必要とせずに、利用者が簡単に行うことができる。
また、本実施形態では、型抜きシート１００の大きさは、Ａ４サイズとなっており、取り扱い上の利便性が高い。また、支持台１を構成する全ての部材が同一材料により構成されるので、廃棄する場合にも都合がよい。
【００２８】
以上説明したように、本実施形態によれば、第１壁部１０と第２壁部２０と第３壁部３０と底板部４０とを接着剤等を用いることなく組み合わせるだけで、物品Ｇを支持できる支持第１を提供できる。支持台１が支持することができる物品Ｇは、カレンダー、写真、スマートフォン、タブレット端末等、支持部１６ａ、２６ａにより支持できるものであればどのような物品であっても支持でき、汎用性が高い。
また、図３に示すように、第１壁部１０と第２壁部２０と第３壁部３０と底板部４０とは、１枚の型抜きシート１００から切り抜くことで作製可能であることから、取り扱い上の利便性を高めることができる。また、第１壁部１０と第２壁部２０と第３壁部３０と底板部４０とは、いずれも板状の部材であることから、紙により作製することができ、その場合、脱プラスティックを実現できる。
さらに、空間Ｓには、筆記具や造花等を立てておくことができ、多機能かつ汎用性が高い。
【００２９】
（変形形態）
以上説明した実施形態に限定されることなく、種々の変形や変更が可能であって、それらも本考案の範囲内である。
【００３０】
（１）実施形態において、支持部１６ａ及び支持部２６ａによって物品Ｇを支持する形態を例示した。この場合、物品Ｇが支持される角度（鉛直方向に対する物品Ｇの表面の角度）は、固定となる。これに限らず、例えば、支持部を複数設けて物品Ｇが支持される角度を変更可能としてもよい。
図５は、支持部を複数設けた例を示す図である。
図５の支持台１Ｂでは、延長部１６には、支持部１６ａのさらに前方に支持部１６ｂを設けている。同様に、延長部２６には、支持部２６ａのさらに前方に支持部２６ｂを設けている。支持部１６ｂ及び支持部２６ｂによって物品を支持する場合には、支持部１６ａ及び支持部２６ａによって物品を支持する場合と比べて、物品が支持される角度が大きくなり、物品の表面がより上方を向く状態で指示することができる。
【００３１】
（２）実施形態において、各スリットは、直線状に形成されている例を挙げて説明した。これに限らず、例えば、スリットを部分的に曲げたり、幅の狭い部分を設けたりしてもよい。
【００３２】
（３）実施形態において、第１壁部１０が右側に配置され、第２壁部２０が左側に配置されている例を挙げて説明した。これに限らず、例えば、第１壁部１０が左側に配置され、第２壁部２０が右側に配置されている形態で組み立ててもよい。
【００３３】
（４）実施形態において、第１壁部１０と、第２壁部２０と、第３壁部３０と、底板部４０とは、いずれも厚みが２ｍｍである例を挙げて説明した。これに限らず、例えば、各部材で厚みを変えてもよいし、使用する材料等に応じて厚さを変えてもよく、各部材の厚さは適宜変更可能である。
【００３４】
（５）実施形態において、底板部４０の上下の表と裏の面にそれぞれ異なる色を設ける構成の例を挙げて説明した。これに限らず、例えば、第１壁部１０と、第２壁部２０と、第３壁部３０と、底板部４０との各部材で上下面の色が異なる構成としてもよく、型抜きシートの状態で、上下の表面と裏面の色、印刷色等を異なる構成としてもよく、各部材の色は適宜変更可能である。
【００３５】
なお、各実施形態及び変形形態は、適宜組み合わせて用いることもできるが、詳細な説明は省略する。また、本考案は以上説明した各実施形態によって限定されることはない。
【符号の説明】
【００３６】
１      支持台
１０    第１壁部
１１    スリット
１１ａ  底部
１２    スリット
１２ａ  底部
１３    スリット
１６    延長部
１６ａ、１６ｂ  支持部
２０    第２壁部
２１    スリット
２１ａ  底部
２４    スリット
２４ａ  底部
２５    スリット
２６    延長部
２６ａ、２６ｂ  支持部
３０    第３壁部
３２    スリット
３２ａ  底部
３４    スリット
３４ａ  底部
４０    底板部
４３、４５  凸部
１００  シート
Ｇ      物品
Ｓ      空間
【図１】
0003234429.tif 000003
【図２】
0003234429.tif 000004
【図３】
0003234429.tif 000005
【図４】
0003234429.tif 000006
【図５】
0003234429.tif 000007